(57)【要約】【課題】試験槽が小さな場合や低い位置にある場合等であっても試験槽内に配置された試料の調整作業が繁雑になることを抑制できる環境試験装置を提供する。【解決手段】環境試験装置１０は、試料を配置するための試験空間が形成された試験槽１２を備える。試験槽１２は、前壁３１、左側壁３２、右側壁３３、後壁３４及び天部３６を有し、前下がりに傾斜した方向に延びる分割面Ｐで下側槽部３９と上側槽部４０とに分かれている。左側壁３２及び右側壁３３が分割面Ｐでそれぞれ二つに分割されて、上側槽部４０の内面には、天部３６、前壁３１、左側壁３２及び右側壁３３のそれぞれの少なくとも一部の内面が含まれている。前記分割面Ｐの後端部は、天部３６の前後方向の中央よりも後側に位置し、上側槽部４０は、試験空間を開放可能に下側槽部３９に支持されている。【選択図】図２
2014109459.tif 000002
【特許請求の範囲】
【請求項１】
試料を配置するための試験空間が形成された試験槽を備え、
前記試験槽は、前壁、左側壁、右側壁、後壁及び天部を有し、前下がりに傾斜した方向に延びる分割面で下側槽部と上側槽部とに分かれており、
前記分割面で前記左側壁及び前記右側壁がそれぞれ二つに分割されて、前記上側槽部の内面には、前記天部、前記前壁、前記左側壁及び前記右側壁のそれぞれの少なくとも一部の内面が含まれており、
前記分割面の後端部は、前記天部の前後方向の中央よりも後側に位置し、
前記上側槽部は、前記試験空間を開放可能に前記下側槽部に支持されている環境試験装置。
【請求項２】
前記分割面の前端部は、前記前壁の高さ方向の中央よりも下側に位置している請求項１に記載の環境試験装置。
【請求項３】
前記前壁、前記左側壁及び前記右側壁において前記上側槽部に含まれる部位の内面に沿う側壁部を有し、前記側壁部の下端面が前記分割面の傾斜方向に対応し、前記下側槽部に着脱可能に配置される内槽体を備え、
前記内槽体は、前記試験空間が開放されるように前記上側槽部が移動した状態でも前記下側槽部上に存在し得る請求項１又は２に記載の環境試験装置。
【請求項４】
前記内槽体の上面が開口している請求項３に記載の環境試験装置。
【請求項５】
前記内槽体は前記側壁部の上端部に架け渡される上面部を備えており、前記内槽体の少なくとも一部が透明材で構成されている請求項３に記載の環境試験装置。
【請求項６】
前記試験槽の背面側に突出したハンドルと、
前記環境試験装置の下端部に配置された車輪と、をさらに備えている請求項１から５の何れか１項に記載の環境試験装置。
【請求項７】
前記天部及び前記前壁の少なくとも一方に透明板が設けられている請求項１から６の何れか１項に記載の環境試験装置。
【請求項８】
前記上側槽部は、透明な部材で構成されている請求項１から６の何れか１項に記載の環境試験装置。
【発明の詳細な説明】
【技術分野】
【０００１】
本発明は、環境試験装置に関するものである。
【背景技術】
【０００２】
従来、下記特許文献１〜３に開示されているように、試料を配置するための試験空間が形成された試験槽を備えた環境試験装置が知られている。試験槽は、前壁、左側壁、右側壁、後壁及び天部を有している。特許文献１に開示された環境試験装置では、前壁、左側壁、右側壁及び後壁が水平方向に延びる分割面で上下に分割されている。そして、試験槽のうち下側の部位には、試料が配置される試料台が設けられ、上側の部位は上蓋として機能している。特許文献２に開示された環境試験装置では、左側壁及び右側壁の前端部が下側ほど前側に突き出た傾斜状に形成されており、前壁は、左側壁及び右側壁の前端部に当接するように配置された開閉扉として構成されている。特許文献３に開示された環境試験装置は、直方体状の試験槽となっており、前壁が外扉として構成され、さらにその内側に内扉が配置されている。
【先行技術文献】
【特許文献】
【０００３】
【特許文献１】特許第２９７５６０１号明細書
【特許文献２】特許第２９５７９０３号明細書
【特許文献３】実開平３−５４７３８号公報
【発明の概要】
【発明が解決しようとする課題】
【０００４】
特許文献１に開示された環境試験装置では、試験槽が、水平方向に延びる分割面で上下に分割されているため、上蓋を回動して試験空間を開放した場合に、作業者が槽内に上から手を入れて、試料に対する配線等、試料の調整作業を行うことになる。この場合、作業者は通常、試験槽の前に立って作業を行うため、左右の側壁の前上部が作業の邪魔になることがある。これに対し、特許文献２に開示された環境試験装置では、左側壁及び右側壁の前端部が下側ほど前側に突き出た傾斜状に形成され、前壁が開閉扉として構成されているので、前壁を回動して試験空間を開放した場合には、作業者は槽内に前から手を入れて試料の調整作業等を行うことになる。したがって、試験槽が大きい場合には、調整作業を楽に行うことができるものの、試験槽が小さい場合や低い位置に設置される場合等には、調整作業が煩雑になる。この点は、特許文献３に開示された環境試験装置においても同様である。
【０００５】
そこで、本発明は、前記従来技術を鑑みてなされたものであり、その目的とするところは、試験槽が小さい場合や低い位置にある場合等であっても試験槽内に配置された試料の調整作業が繁雑になることを抑制できる環境試験装置を提供することにある。
【課題を解決するための手段】
【０００６】
前記の目的を達成するため、本発明は、試料を配置するための試験空間が形成された試験槽を備え、前記試験槽は、前壁、左側壁、右側壁、後壁及び天部を有し、前下がりに傾斜した方向に延びる分割面で下側槽部と上側槽部とに分かれており、前記分割面で前記左側壁及び前記右側壁がそれぞれ二つに分割されて、前記上側槽部の内面には、前記天部、前記前壁、前記左側壁及び前記右側壁のそれぞれの少なくとも一部の内面が含まれており、前記分割面の後端部は、前記天部の前後方向の中央よりも後側に位置し、前記上側槽部は、前記試験空間を開放可能に前記下側槽部に支持されている環境試験装置である。
【０００７】
本発明では、試験槽が、左側壁及び右側壁において前下がりに傾斜した方向に延びる分割面で下側槽部と上側槽部とに分かれている。このため、上側槽部を下側槽部に対して移動させて試験空間を開放すると、上側槽部の一部である左側壁及び右側壁の前上部と天部の前部は、下側槽部から上方に離れた位置に移動する。そして、分割面の後端部が天部の前後方向の中央よりも後側に位置しているため、試験空間が開放された状態で、作業者が試験空間内に配置された試料の調整作業を行うときには、下側槽部の内側に上から手を入れて作業を行うことができる。したがって、試験槽が小さい場合や低い位置に設置された場合であっても、調整作業が煩雑になることを抑制することができる。しかもこのとき、左側壁及び右側壁の前上部が下側槽部から離れた位置にあるので、作業者が試験槽の前に立って作業を行う場合であっても、左側壁及び右側壁の前上部が作業の邪魔になることはない。したがって、試験空間内に配置された試料の調整作業が煩雑になることを抑制することができる。
【０００８】
ここで、前記分割面の前端部は、前記前壁の高さ方向の中央よりも下側に位置しているのが好ましい。この態様では、前壁において、その高さ方向の中央よりも下側の部位の一部が上側槽部に含まれることになるので、上側槽部を下側槽部に対して移動させて試験空間を開放したときに、下側槽部に含まれる前壁の上端が低くなる。したがって、試験槽の前に位置する作業者が試料の調整作業等を行うときの作業負担をより軽減することができる。
【０００９】
前記環境試験装置は、前記前壁、前記左側壁及び前記右側壁において前記上側槽部に含まれる部位の内面に沿う側壁部を有し、前記側壁部の下端面が前記分割面の傾斜方向に対応し、前記下側槽部に着脱可能に配置される内槽体を備えていてもよい。前記内槽体は、前記試験空間が開放されるように前記上側槽部が移動した状態でも前記下側槽部上に存在し得るものでもよい。
【００１０】
この態様では、上側槽部を動かして試験空間を開放したときでも、内槽体が下側槽部上に残され得る。このため、下側槽部の上側に内槽体の側壁部によって区画された空間が形成される。したがって、試験空間が開放されるように上側槽部を移動した状態で、環境試験装置を駆動させる場合においても、下側槽部及び内槽体によって形成される空間内の熱を逃げ難くすることができる。このため、空間内の温度が変化し難い状態で、例えば、下側空間内に配置された試料の観察をしながら、或いは試料の不具合をチェックしながら環境試験装置の駆動を行うことができる。また、試験以外に作業を行う場合等には、内槽体を取り外すこともできる。この場合には、作業の邪魔にならないようにすることができる。
【００１１】
前記内槽体の上面が開口していてもよい。この態様では、開口した上面を通して内槽体内の様子を見ることができる。
【００１２】
前記内槽体は前記側壁部の上端部に架け渡される上面部を備えていてもよい。この場合、前記内槽体の少なくとも一部が透明材で構成されていてもよい。この態様では、透明材で構成された部位を通して内槽体内の様子を見ることができる。また、内槽体の上面も塞がれているので、内槽体内の空間の熱が逃げ難くなる。
【００１３】
前記環境試験装置は、前記試験槽の背面側に突出したハンドルと、前記環境試験装置の下端部に配置された車輪と、をさらに備えていてもよい。この態様では、作業者は、ハンドルを握って試験槽を背面側に倒した状態で押すことにより、試験槽を楽に移動させることができる。
【００１４】
前記天部及び前記前壁の少なくとも一方に透明板が設けられていてもよい。この態様では、透明板を通して試験空間内の様子を観察することができる。
【００１５】
前記上側槽部は、透明な部材で構成されていてもよい。この態様では、上側槽部から試験空間内の様子を観察することができる。
【発明の効果】
【００１６】
以上説明したように、本発明の環境試験装置によれば、試験槽が小さい場合や低い位置にある場合等であっても試験槽内に配置された試料の調整作業が繁雑になることを抑制することができる。
【図面の簡単な説明】
【００１７】
【図１】本発明の実施形態に係る環境試験装置の斜視図であり、上側槽部が閉じ位置にある状態を示している。
【図２】上側槽部が開き位置にある状態の前記環境試験装置の斜視図である。
【図３】図１のＩＩＩ−ＩＩＩ線における部分断面図である。
【図４】図１のＩＶ−ＩＶ線における部分断面図である。
【図５】本発明のその他の実施形態に係る環境試験装置の斜視図である。
【図６】本発明のその他の実施形態に係る環境試験装置の斜視図である。
【図７】本発明のその他の実施形態に係る環境試験装置の斜視図である。
【図８】本発明のその他の実施形態に係る環境試験装置の斜視図である。
【図９】本発明のその他の実施形態に係る環境試験装置の斜視図である。
【図１０】（ａ）上面が開口した内槽体の斜視図であり、（ｂ）図１０（ａ）のＸｂ−Ｘｂ線における断面図である。
【図１１】上面部を有する内槽体の斜視図である。
【図１２】本発明のその他の実施形態に係る環境試験装置の斜視図である。
【発明を実施するための形態】
【００１８】
以下、本発明を実施するための形態について図面を参照しながら詳細に説明する。
【００１９】
図１及び図２に示すように、本実施形態に係る環境試験装置１０は、試験槽１２と、試験槽１２の下側に配置された機械室１４と、機械室１４の前側に配置された電装部１６と、を備えている。また、この環境試験装置１０には、試験槽１２の背面側に配置されたハンドル１８と、試験槽１２及び機械室１４を含む外装体２０の下端部に配置された車輪１９と、が設けられている。
【００２０】
図３に示すように、試験槽１２と機械室１４とは上下方向に並ぶように配置されていて、これらが全体として縦長の直方体形状の本体部として形成されている。電装部１６は、この本体部から前側に張り出すように設けられている。電装部１６は、内部が空洞になるように前カバー１６ａが本体部に取り付けられることによって外面が構成され、前カバー１６ａと本体部との間に形成された内部空間内に図略の制御機器等が配設されている。
【００２１】
電装部１６の上面は、前下がりの傾斜面となっており、この上面には、図１に示すように、スイッチ類２２、操作画面２３、ロック解除ボタン２４等が配置されている。ハンドル１８は、電装部１６の上面と略面一の傾斜面に沿って試験槽１２の左右側面に沿って延びるフレーム部材２６の後端部に設けられている。フレーム部材２６は、試験槽１２の背面から後側にさらに延びており、その後端部間に架け渡されるようにハンドル１８が設けられている。すなわち、ハンドル１８は、試験槽１２の背面側に突出した位置に設けられている。そして、車輪１９も外装体２０における背面側部の下端部に設けられている。このため、外装体２０が後方に傾くように環境試験装置１０を倒し、外装体２０の前端部の下端を浮かせることにより、その状態でハンドル１８を把持して環境試験装置１０を押せば、環境試験装置１０を楽に動かすことができる。
【００２２】
図３に示すように、試験槽１２は、前壁３１、左側壁３２、右側壁３３、後壁３４、底面部３５及び天部３６を備え、全体として直方体形状に形成されている。試験槽１２内には、内部空間ＩＳが形成されている。内部空間ＩＳには、試料を配置するための試験空間ＴＳと、試験空間ＴＳと連通し、試験空間ＴＳ内に供給される空気の温調を行う空調空間ＣＳと、が含まれている。内部空間ＩＳ及び試験空間ＴＳは略直方体形状に形成されている。なお、空調空間ＣＳは、試験槽１２内の内部空間ＩＳの一部として形成されている必要はなく、試験槽１２外に形成されるとともに、試験槽１２を貫通する図略の貫通路によって試験槽１２内に形成された試験空間ＴＳと連通する構成であってもよい。
【００２３】
試験槽１２は、前下がりに傾斜した方向に延びる平面状の分割面Ｐで下側槽部３９と上側槽部４０とに分かれており、内部空間ＩＳ（試験空間ＴＳ）には、下側槽部３９内に位置する下側空間（下側試験空間）と、上側槽部４０内に位置する上側空間（上側試験空間）とが含まれている。分割面Ｐの前端部は、試験槽１２の前壁３１の高さ方向の中央よりも下側に位置し、分割面Ｐの後端部は、天部３６の前後方向の中央よりも後側に位置している。なお、図例の分割面Ｐは、天部３６の下面と後壁３４の前面との交線の近傍を通り、分割面Ｐの後端部は、後壁３４の後面（外面）の上端部の近傍に位置している。
【００２４】
下側槽部３９は、前壁３１の下側部３１ａ、左側壁３２の下側部３２ａ、右側壁３３の下側部３３ａ、後壁３４及び底面部３５を備えている。一方、上側槽部４０は、前壁３１の上側部３１ｂ、左側壁３２の上側部３２ｂ、右側壁３３の上側部３３ｂ及び天部３６を備えている。したがって、下側空間（下側試験空間）は、前面、左側面、右側面、後面及び底面を有し、上面が開放されており、上側空間（上側試験空間）は、前面、左側面、右側面及び上面を有し、下面が開放されている。そして、下側空間（下側試験空間）と上側空間（上側試験空間）との間が、前記分割面Ｐと面一の傾斜平面となる。このため、上側槽部４０には、前壁３１の上端部、左側壁３２の前上端部、右側壁３３の前上端部及び天部３６の前端部が含まれる。
【００２５】
前壁３１の下側部３１ａは、前カバー１６ａで覆われているため、外側から見えない。ただし、この構成に限られない。例えば、前カバー１６ａが機械室１４のみの前面を覆っていてもよい。
【００２６】
前壁３１、左側壁３２、右側壁３３、後壁３４、底面部３５及び天部３６はそれぞれ、金属板等からなる外壁板４２と、外壁板４２と間隔をおいて配置された金属板等からなる内壁板４４と、これら外壁板４２及び内壁板４４間に設けられた断熱材４３とを備えた構成である。そして、下側槽部３９における分割面Ｐに面する傾斜上面と、上側槽部４０における分割面Ｐに面する傾斜下面とには、それぞれ薄板４５，４６が配置され、断熱材４３が露出しないようになっている。薄板４５，４６は金属又は断熱性の高い樹脂によって構成されている。傾斜上面を構成する薄板４５と傾斜下面を構成する薄板４６との間には、内部空間ＩＳを外部から気密状に封止するパッキン４８が配置されている。パッキン４８は、傾斜上面側に配置された薄板に固定されている。本実施形態では二重パッキン４８となっている。
【００２７】
上側槽部４０は、内部空間ＩＳ（試験空間ＴＳ）を開放可能に下側槽部３９に支持されている。具体的に、試験槽１２には、後壁３４の外面と天部３６の外面とを接続するように蝶番５０が設けられており、上側槽部４０は、この蝶番５０を中心として回動可能に下側槽部３９に支持されている。
【００２８】
前述したように、内部空間ＩＳには、試験空間ＴＳと空調空間ＣＳとが含まれている。試験空間ＴＳは、略直方体形状に形成されており、空調空間ＣＳは、試験空間ＴＳの下側に位置する下側部と、試験空間ＴＳの後側に位置する後側部とを有している。試験空間ＴＳの下面には、スリット５２ａが形成された載置板５２が配置されており、この載置板５２を介して試験空間ＴＳと空調空間ＣＳの下側部とが区画されている。試料は載置板５２上に配置される。試験空間ＴＳ内の空気はスリット５２ａを通して空調空間ＣＳの下側部に流入する。試験空間ＴＳの後面側には、多数の連通孔５４ａを有する網状のグリル５４が配置されており、このグリル５４を介して試験空間ＴＳと空調空間ＣＳの後側部とが区画されている。空調空間ＣＳの後側部内の空気はグリル５４の連通孔５４ａを通して試験空間ＴＳ内に流入する。
【００２９】
空調空間ＣＳには、冷却部であるフィン５６と、加熱手段であるヒータ５８と、送風部であるファン６０の羽根車６０ａと、温度検知手段である温度センサ６２と、内部空間ＩＳ内に溜まった水を排水するための排水管６４とが配置されている。フィン５６は、機械室１４に配置されたスターリング冷凍機６５の上部に設けられるとともに、空調空間ＣＳの下側部内に配置されており、スターリング冷凍機６５によって生成された冷熱によって冷却される。これにより、空調空間ＣＳ内の空気から吸熱し、当該空気を冷却する。なお、吸熱用の冷凍機としては、スターリング冷凍機に限られない。
【００３０】
ヒータ５８は、下側槽部３９の後壁３４を貫通するとともに、加熱部が空調空間ＣＳの下側部内に配置されている。ヒータ５８は、図略のコントローラによって加熱量が制御されるように構成されている。
【００３１】
ファン６０は、羽根車６０ａとこの羽根車６０ａを回転させるモータ６０ｂとを有しており、モータ６０ｂは、下側槽部３９の後壁３４の外面に固定されている。モータ６０ｂの駆動軸は後壁３４を貫通して空調空間ＣＳの後側部内に位置しており、この駆動軸に羽根車６０ａが固定されている。
【００３２】
温度センサ６２は、空調空間ＣＳの下側部内に配置されており、空調空間ＣＳ内の空気の温度を検出する。そして、温度センサ６２によって検出された空気の温度が予め設定された閾値を超えていないかどうかを監視するのにも用いられる。
【００３３】
下側槽部３９の左側壁３２（下側部３２ａ）及び右側壁３３（下側部３３ａ）にはそれぞれ貫通孔が形成されており、この貫通孔にはキャップ６６がそれぞれ着脱可能に被せられている。この貫通孔を通して、試験空間ＴＳの試料に配線を行うことができる。
【００３４】
環境試験装置１０には、上側槽部４０をロックするロック部材６８と、ロック部材６８による上側槽部４０のロックを解除するロック解除ボタン２４とが設けられている。図４に示すように、ロック部材６８は、外装体２０に回動可能に支持された回動部６８ａと、回動部６８ａの先端部に形成された爪部６８ｂと、を有している。ロック部材６８は、爪部６８ｂが、被係止部７０に係止されるロック位置（図４において実線で示す位置）と、爪部６８ｂが被係止部７０から離間した解錠位置（図４において二点鎖線で示す位置）とを取り得る。被係止部７０は、上側槽部４０の前壁３１から前側に張り出した板６９に固定されている。
【００３５】
ロック解除ボタン２４は、ロック部材６８をロック位置から解錠位置に移動させるための操作部であり、電装部１６の上面に配置されている。ロック解除ボタン２４は、ロック部材６８と一体的に動くように構成されている。ロック解除ボタン２４が電装部１６の上面から突出した位置（図４において実線で示す位置）にあるときには、ロック部材６８はロック位置となり、ロック解除ボタン２４が電装部１６内に押し込まれた位置（図４において二点鎖線で示す位置）にあるときに、ロック部材６８は解錠位置となる。したがって、ロック解除ボタン２４を押圧操作することにより、ロック部材６８をロック位置から解錠位置に移動させ、これにより上側槽部４０のロックが解除されて、上側槽部４０を上側に向けて回動させることが可能となる。
【００３６】
以上説明したように、本実施形態では、試験槽１２が、左側壁３２及び右側壁３３において前下がりに傾斜した方向に延びる分割面Ｐで下側槽部３９と上側槽部４０とに分かれている。このため、上側槽部４０を下側槽部３９に対して移動させて試験空間ＴＳを開放すると、上側槽部４０の一部である左側壁３２及び右側壁３３の前上部と天部３６の前部は、下側槽部３９から上方に離れた位置に移動する。そして、分割面Ｐの後端部が天部３６の前後方向の中央よりも後側に位置しているため、試験空間ＴＳが開放された状態で、作業者が試験空間ＴＳ内に配置された試料の調整作業を行うときには、下側槽部３９の内側に上から手を入れて作業を行うことができる。したがって、試験槽１２が小さな場合や低い位置に設置された場合であっても、調整作業が煩雑になることを抑制することができる。しかもこのとき、左側壁３２及び右側壁３３の前上部が下側槽部３９から離れた位置にあるので、作業者が試験槽１２の前に立って作業を行う場合であっても、左側壁３２及び右側壁３３の前上部が作業の邪魔になることはない。したがって、試験空間ＴＳ内に配置された試料の調整作業が煩雑になることを抑制することができる。
【００３７】
さらに本実施形態では、分割面Ｐの前端部が、前壁３１の高さ方向の中央よりも下側に位置しているため、前壁３１において、その高さ方向の中央よりも上側の部位が上側槽部４０に含まれることになる。この結果、上側槽部４０を下側槽部３９に対して移動させて試験空間ＴＳを開放したときに、下側槽部３９に含まれる前壁３１の上端が低くなる。したがって、試験槽１２の前に位置する作業者が試料の調整作業等を行うときの作業負担をより軽減することができる。
【００３８】
また本実施形態では、試験槽１２の背面側にハンドル１８が設けられるとともに、外装体２０の背面における下端部に車輪１９が設けられているので、作業者は、ハンドル１８を握って試験槽１２を背面側に倒した状態で押すことにより、試験槽１２を楽に移動させることができる。
【００３９】
なお、本発明は、前記実施形態に限られるものではなく、その趣旨を逸脱しない範囲で種々変更、改良等が可能である。
【００４０】
前記実施形態では、上側槽部４０の外壁板４２から内部空間ＩＳ内を見ることができない構成となっているがこれに限られるものではない。例えば、図５に示すように、上側槽部４０の天部３６に透明板７２が嵌め込まれていて、この透明板７２を通して内部空間ＩＳ（試験空間ＴＳ）内を観察できるように構成されていてもよい。また、図６に示すように、上側槽部４０の天部３６及び前壁３１の上側部３１ｂにそれぞれ透明板７２が嵌め込まれていて、これらの透明板７２を通して内部空間ＩＳ（試験空間ＴＳ）内を観察できるように構成されていてもよい。なお、前壁３１にのみ透明板７２が嵌め込まれていてもよい。
【００４１】
また図７に示すように、上側槽部４０は、透明な部材で構成されていてもよい。この場合にも、上側槽部４０から試験空間ＴＳ内の様子を観察することができる。
【００４２】
前記実施形態では、天部３６の上面が水平な構成となっているが、これに限られるものではない。例えば、図８に示すように、天部３６の上面が前下がりに傾斜した構成であってもよい。
【００４３】
前記実施形態では、ハンドル１８及び車輪１９が設けられた構成となっているが、ハンドル１８及び車輪１９が省略された構成であってもよい。
【００４４】
環境試験装置１０は、図９に示すように、下側槽部３９に着脱可能に載置される内槽体７５を備えていてもよい。この内槽体７５は、前壁３１、左側壁３２及び右側壁３３において上側槽部４０に含まれる部位（上側部３２ｂ，３３ｂ）の内面に沿う側壁部７５ａを有しており、左右両側の側壁部７５ａの下端面は分割面Ｐの傾斜方向に対応するように傾斜している。内槽体７５は、上側試験空間を囲むように下側槽部３９に載置されるが、上側槽部４０が回動されて試験空間ＴＳを開放した状態にあるときでも、上側槽部４０に随伴していくのではなく、下側槽部３９上に残される。
【００４５】
図１０（ａ）及び（ｂ）に示すように、内槽体７５の側壁部７５ａには、外側に向けて突出する外向き突部７５ｃと、側壁部７５ａの下端部から下方に突出する下向き突部７５ｄと、が形成されている。側壁部７５ａの幅（内槽体７５の左右方向の長さ）が下側槽部３９内の空間の幅よりも僅かに小さな幅になるように形成されていて、外向き突部７５ｃが下側槽部３９の上面に載り、下向き突部７５ｄが下側槽部３９内に入り込む。なお、側壁部７５ａの幅（内槽体７５の左右方向の長さ）が下側槽部３９内の空間の幅と同じに形成されていて、下向き突部７５ｄが側壁部７５ａよりも僅かに内側で下向きに突出する構成としてもよい。また、側壁部７５ａの幅（内槽体７５の左右方向の長さ）が下側槽部３９内の空間の幅と同じに形成されていて、外向き突部７５ｃ及び下向き突部７５ｄが省略されていてもよい。この場合、内槽体７５を下側槽部３９上に配置できるようにすべく、上側槽部４０内の空間が下側槽部３９内の空間よりも僅かに大きな幅になるように形成されていてもよい。また、外向き突部７５ｃ及び下向き突部７５ｄは、全周に設けられていなくてもよい。
【００４６】
この環境試験装置１０では、上側槽部４０を動かして試験空間ＴＳを開放したときでも、内槽体７５が下側槽部３９上に残される。すなわち、内槽体７５は下側槽部３９から突出するように配置される。このため、下側槽部３９の上側に内槽体７５の側壁部７５ａによって区画された空間が形成される。したがって、試験空間ＴＳが開放されるように上側槽部４０を移動した状態で、環境試験装置１０を駆動する場合においても、下側槽部３９及び内槽体７５によって形成される空間内の熱を逃げ難くすることができる。このため、上側槽部４０を開いた状態にある場合でも、下側試験空間内の温度が変化し難い状態で、例えば、下側試験空間内に配置された試料の観察をしながら、或いは試料の不具合をチェックしながら環境試験装置１０の駆動を行うことができる。内槽体７５には、下側槽部３９との接触部におけるシール性を確保すべく、パッキン（図示省略）が設けられていてもよい。また、内槽体７５は、その下端部が下側槽部３９の内側に嵌め込まれる構成であってもよい。内槽体７５は、上側槽部４０を開放して作業をすることが分かっている場合等に、運転前において試料がセットされた後にセットされる。そして上側槽部４０を閉じて運転を行うので、その後に上側槽部４０を開放した場合にも、下側槽部３９上に存在し得る。
【００４７】
図９に示す内槽体７５は、図１０に示すように、側壁部７５ａのみを有し、上面が開口した構成となっているが、これに限られない。図１１に示すように、内槽体７５は、側壁部７５ａの上端部に架け渡される上面部７５ｂを備えていてもよい。この場合、内槽体７５の少なくとも一部が透明材で構成されているのが好ましい。この構成では、内槽体７５の上面も塞がれているので、内槽体７５内の空間の熱が逃げ難くなる。
【００４８】
内槽体７５の前面部（側壁部７５ａの一部）又は上面部７５ｂは開閉可能に構成されていてもよい。こうすれば、作業性を確保しつつ、内槽体７５内の温度乱れを極力抑えることができる。すなわち、上面部７５ｂが開閉可能である場合には低温時に槽内の温度乱れを抑制でき、前面部が開閉可能である場合には高温時に槽内の温度乱れを抑制できる。内槽体７５は、ステンレス、アルミニウム等で構成することができ、また透明材はポリカーボネイト、塩化ビニル等で構成することができる。なお、上面部７５ｂを備えた内槽体７５においても、図１０（ａ）（ｂ）同様に、外向き突部７５ｃ及び下向き突部７５ｄが形成されていてもよい。
【００４９】
前記実施形態では、試験槽１２の下側に機械室１４が配置され、その前側に電装部１６が配置された構成としたが、これに限られない。代替的に、例えば、図１２に示すように、略直方体形状の試験槽１２の後側に機械室１４及び電装部１６が配置された構成としてもよい。なお、図１２に示す形態では、分割面Ｐが前壁３１の下端部を通ることにより前壁３１が上下に分割されていない構成となっているが、前記実施形態と同様に、前壁３１が下側部３１ａと上側部３１ｂとを有する構成としてもよい。
【００５０】
前記実施形態では、上側槽部４０が下側槽部３９に対して回動可能に支持されるように構成されている。上側槽部４０が回動するように支持されるのではなく、代替的に、上下方向にスライドすることによって試験空間ＴＳを開放するように支持されていてもよい。
【符号の説明】
【００５１】
１０  環境試験装置
１２  試験槽
１８  ハンドル
１９  車輪
３１  前壁
３１ａ  下側部
３１ｂ  上側部
３２  左側壁
３２ａ  下側部
３２ｂ  上側部
３３  右側壁
３３ａ  下側部
３３ｂ  上側部
３４  後壁
３５  底面部
３６  天部
３９  下側槽部
４０  上側槽部
７２  透明板
７５  内槽体
７５ａ  側壁部
７５ｂ  上面部
【図１】
2014109459.tif 000003
【図２】
2014109459.tif 000004
【図３】
2014109459.tif 000005
【図４】
2014109459.tif 000006
【図５】
2014109459.tif 000007
【図６】
2014109459.tif 000008
【図７】
2014109459.tif 000009
【図８】
2014109459.tif 000010
【図９】
2014109459.tif 000011
【図１０】
2014109459.tif 000012
【図１１】
2014109459.tif 000013
【図１２】
2014109459.tif 000014